(57)【要約】【課題】信号を送受信できるアンテナをそれぞれ予め結合される製品の周辺表層面に貼り付け、それぞれのタイプの情報製品や通信製品や民生用電子製品などの開発を実施する際に、全体の体積を軽薄化でき、多変化の造形設計をすすめることができ、且つ使用の際、均一に製品の周縁部に結合でき、信号を受信する時に広範の受信方位角度を向上できる手首装着式アンテナを提供する。【解決手段】本発明の手首装着式アンテナは、信号を送受信可能なアンテナを幾何形状になるように加工して形成されるものであり、それぞれ予め結合される周辺設備に設けられ、幾何形状のアンテナを介してそれぞれのタイプの情報製品や通信製品や民生用電子製品などを合わせながら、開発において、全体体積を軽薄化できると共に、多変化の造形設計を実施し、且つ使用上において製品の周縁部に均一に配布結合することによって信号を受信時の広範的な受信方位角度を確保する。【選択図】    図２
2004343347.tif 000002
【特許請求の範囲】
【請求項１】
信号を送受信可能なアンテナが幾何形状になるように加工して形成されるものであり、それぞれが予め結合される周辺設備に設けられ、幾何形状のアンテナを介してそれぞれのタイプの情報製品や通信製品や民生用電子製品などを合わせながら、これらの製品の開発において、全体体積を軽薄化させると共に、多変化の造形設計を可能とし、且つ使用上において製品の周縁部に均一に配布結合することによって、信号受信時の広範な受信方位角度を確保することを特徴とする、手首装着式アンテナ。
【請求項２】
前記アンテナとして薄膜型アンテナを用いることを特徴とする、請求項１に記載の手首装着式アンテナ。
【請求項３】
前記アンテナとして金属片型アンテナまたは金属線型アンテナを用いることを特徴とする、請求項１に記載の手首装着式アンテナ。
【請求項４】
前記アンテナとしてＰＣＢ型アンテナを用いることを特徴とする、請求項１に記載の手首装着式アンテナ。
【請求項５】
前記アンテナとしてチップ型アンテナを用いることを特徴とする、請求項１に記載の手首装着式アンテナ。
【請求項６】
前記アンテナは、薄膜型と金属片型とＰＣＢ型とチップ型のアンテナを組み合わせて構成することを特徴とする、請求項１に記載の手首装着式アンテナ。
【請求項７】
前記アンテナは、腕時計の帯における一部の金属表面にアンテナを配設して構成することを特徴とする、請求項１に記載の手首装着式アンテナ。
【発明の詳細な説明】
【０００１】
【発明の属する技術分野】
本発明は手首装着式アンテナを提供し、主に信号を送受信可能なアンテナを改良することによってそれぞれ異なる形式の情報製品や通信製品や民生用電子製品に合せて周辺層面の設計を実施するものであり、全体の体積を軽薄とし、多変化の造形設計を実施することが便利であり、使用者が平素で広範な角度の送受信機能を得ることのできるアンテナの設計に関するものである。
【０００２】
【従来技術】
業界で運用されるアンテナの組成形態はかなり多様化されており、ここでワイド・バンド・アンテナ（図１参照）を例に挙げて説明する。通信製品のケーシング（２０）の適切な位置にアンテナ収納部（２０１）と貫通孔（２０２）を形成し、平面アンテナ（１０）が絶縁ゲル体を介して一体となるように前記ケーシング（２０）に凹んで形成されるアンテナ収納部（２０１）に粘着または貼り付け、そのうち、前記貫通孔（２０２）がアンテナと電気回路基板のエミッタ電気回路モジュールとを連結する場合に使用されるものであり、製品自身のケーシング（２０）の材質の制限を減少でき、且つ金属材を採用するケーシングの製品の質感と価値を向上でき、且つ阻隔遮蔽効果を有させることができ、アンテナモジュールが内部の電気素子からの影響を大幅に減少でき、優れた通信効果を獲得できる。しかしながら、この種のアンテナモジュールが他の通信製品と合せて結合される場合、アンテナの受信方位角度がある程度の制限を受け、アンテナを設ける情報製品や通信製品や民生用電子製品の設計の軽薄化傾向に合せられない。
【０００３】
【発明の目的】
本発明は、前記開示した従来物と同一の性質を有する、送受信に利用されるアンテナの別の新しい形態の組成設計を提供することをその主要な目的とし、使用者の手首に装着するリングとして製造される装飾品やリング状にアンテナをつけることによって、これらを使用者の身につけられる携帯式の腕時計に合わせて組立てられるようにすることで、平素外出する時の携帯に利便性を提供できると共に、広範な受信角度を有する手段を提供することをその次の目的とする。
【０００４】
本発明は、信号を送受信できるアンテナをそれぞれ予め結合される製品の周辺表層面に貼り付けられ、それぞれのタイプの情報製品や通信製品や民生用電子製品などの開発を実施する際に、全体の体積を軽薄化でき、多変化の造形設計をすすめることができ、且つ使用の際、均一に製品の周縁部に結合でき、信号を受信する時に広範に受信方位角度を向上させることができる手首装着式アンテナを提供することをその他の目的とする。
【０００５】
以下に添付図面を参照しながら、本発明の好適な実施の形態を詳細かつ具体的に説明するが、それらの説明による構造は単に本発明の実施可能な一実施例に過ぎず、本発明を狭義的に制限するものではないことは言うまでもない。
【０００６】
【発明の実施の形態】
本発明による手首装着式アンテナは、図２に示すように、主に信号を送受信可能なアンテナ（１）を幾何形状になるように製造し、当該アンテナ（１）が手首に装着するリング状の装飾品（２）の外周縁部に合わせ貼り付けられ、且つ均一に装飾品（２）の層面におけるそれぞれのアンテナ（１）に結合され、且つそれぞれのアンテナ（１）の間で可とう性線材によって相互に接続しあい、且つ可とう性線材の二つの末梢にそれぞれ通信モジュールを結合することによって相互に連通しあうアンテナ構造体を形成できる。
【０００７】
本発明によるアンテナは、予め結合される腕時計（８）のそれぞれの部位の部材に従ってそれぞれ異なる形状を有する幾何形状のアンテナ（１）（図３参照）を製造でき、予め形状が設定されるアンテナ（１）を順次に腕時計（８）の表面（３）（またはレンズ（４）の内側層面またはレンズ（４）の外側層面）に貼り付けられ、または相互に枢着されるそれぞれの段の帯（５）の外周縁部（外側層面と両側層面の両方を含む）と、帯の先端または末端の係合部材（６，７）の外周縁部（外側層面と両側層面の両方を含む）に貼り付けられ、且つ表面（３）とレンズ（４）の内側と外側と帯（５）と先端及び末端の係合部材（６，７）のそれぞれのアンテナ（１）の間において可とう性線材によって相互に接続し、且つ可とう性線材の両末梢にそれぞれ通信モジュールを組立てることによって相互に連通しあうアンテナ組立体を形成する。
【０００８】
手首装着式アンテナの使用例（図４と図５参照）としては、外周縁部に均一に幾何形状のアンテナ（１）が貼り付けられる装飾品（２）（または腕時計（８））になるように実施する場合、平素で個人の手部が内方へまたは外方へ伸び出すことを問わず、すべて装飾品（２）（または腕時計（８））の表層面のそれぞれにアンテナ（１）を均一に貼り付けており、広範的にそれぞれ異なる角度より発信された信号を対応受信でき、且つアンテナ（１）が目前の業界で開発される情報製品や通信製品や民生用電子製品などを製造する際に、全体の体積を軽薄化でき、多変化の造形設計を進めることができる。
【０００９】
本発明の設計によるアンテナの実施方式としては、薄膜式や金属片や金属線材やＰＣＢ（印刷電気回路基板）や陶磁器アンテナやチップ型アンテナなど、またはこれらを相互に組み合わせた実施ができる。
【００１０】
また、本発明の設計によるアンテナは、そのアンテナの実施として腕時計の帯の一部の金属表面をアンテナとして利用できる。
【図面の簡単な説明】
【図１】従来のアンテナ組立体を示す平面図である。
【図２】本発明のアンテナを手首に装着する装飾品に貼り付ける場合を示す斜視図である。
【図３】本発明のアンテナを腕時計のそれぞれの部材に貼り付ける場合を示す斜視図である。
【図４】本発明のアンテナを貼り付けている装飾品が手部に付けられる場合の内方へ伸び出されつつ信号を受信する状態を示す実施例の説明図である。
【図５】本発明のアンテナを貼り付けている装飾品が手部に付けられる場合の外方へ伸び出されつつ信号を受信する状態を示す実施例の説明図である。
【図１】
2004343347.tif 000003
【図２】
2004343347.tif 000004
【図３】
2004343347.tif 000005
【図４】
2004343347.tif 000006
【図５】
2004343347.tif 000007